(57)【特許請求の範囲】
【請求項１】
成分測定に用いる装置または器具を使用する際に、それを目的部位へ案内するための補助具であって、
前記装置または器具が当接する案内面を有する案内部材を有し、
前記案内部材は、凹面を有するまたは一対のリブを有する板片で構成され、成分測定装置と穿刺器具の双方に対し兼用することができるものであることを特徴とする補助具。
【請求項２】
指に固定する固定部材を有する請求項１に記載の補助具。
【請求項３】
前記固定部材は、リング状の部材で構成されている請求項２に記載の補助具。
【請求項４】
前記案内部材は、その両端にそれぞれ指当て部を有する請求項１に記載の補助具。
【請求項５】
前記案内部材の前記案内面側に、前記装置または器具の横方向の位置決めを行なう位置決め機構が設けられている請求項１ないし４のいずれかに記載の補助具。
【請求項６】
前記一対のリブは、それらの間隙距離が前記目的部位側へ向かって漸減する部分であり、前記位置決め機構として機能する請求項５に記載の補助具。
【請求項７】
前記装置または器具の前記目的部位への接近限界を規定する機構を有する請求項１ないし６のいずれかに記載の補助具。
【請求項８】
前記装置または器具の前記目的部位への接近限界を規定する機構は、前記装置または器具に当接するストッパである請求項７に記載の補助具。
【発明の詳細な説明】
【０００１】
【発明が属する技術分野】
本発明は、例えば血糖値の測定の際に用いられる補助具に関するものである。
【０００２】
【従来の技術】
糖尿病患者等に対しては、定期的に血糖値の測定が行なわれる。患者が自宅や職場等で、自分自身で血糖値の測定を行なう場合には、血糖測定装置（血糖自動測定装置）が使用されている。
【０００３】
この血糖測定装置による血糖値の測定は、次のようにして行われる。
内部に試験紙が設置されたチップを血糖測定装置の先端部に装着するとともに、別途用意された穿刺器具の穿刺針により自己の指等を穿刺し、この穿刺により出血した血液をチップの先端から毛細管現象により吸引し、試験紙上に展開する。この試験紙の呈色の度合いを血糖測定装置により光学的に測色し、その測色結果に基づいて血糖値を数値化し、血糖測定装置の表示部に表示する。
【０００４】
ところで、糖尿病患者には、高齢者が多く、手指が不自由であったり、手が震えたりする者や、視力が弱い者がいる。また、糖尿病の合併症で、手指が不自由になったり、失明したりする者も少なくない。
【０００５】
このような患者にとっては、穿刺器具の先端を指先（目的部位）に当て、穿刺針により穿刺する操作や、血糖測定装置に装着されたチップの先端を出血した血液（目的部位）に接触させる操作を容易、迅速、正確に行なうことが困難な場合が少なくない。
【０００６】
【発明が解決しようとする課題】
本発明の目的は、血液成分等の成分測定やそれに伴う操作を容易かつ確実に行なうことができる補助具を提供することにある。
【０００７】
【課題を解決するための手段】
このような目的は、下記（１）〜（８）の本発明により達成される。
【０００８】
（１）  成分測定に用いる装置または器具を使用する際に、それを目的部位へ案内するための補助具であって、
前記装置または器具が当接する案内面を有する案内部材を有し、
前記案内部材は、凹面を有するまたは一対のリブを有する板片で構成され、成分測定装置と穿刺器具の双方に対し兼用することができるものであることを特徴とする補助具。
【００１１】
（２）  指に固定する固定部材を有する上記（１）に記載の補助具。
【００１２】
（３）  前記固定部材は、リング状の部材で構成されている上記（２）に記載の補助具。
【００１３】
（４）  前記案内部材は、その両端にそれぞれ指当て部を有する上記（１）に記載の補助具。
【００１４】
（５）  前記案内部材の前記案内面側に、前記装置または器具の横方向の位置決めを行なう位置決め機構が設けられている上記（１）ないし（４）のいずれかに記載の補助具。
【００１５】
（６） 前記一対のリブは、それらの間隙距離が前記目的部位側へ向かって漸減する部分であり、前記位置決め機構として機能する上記（５）に記載の補助具。
【００１６】
（７）  前記装置または器具の前記目的部位への接近限界を規定する機構を有する上記（１）ないし（６）のいずれかに記載の補助具。
【００１７】
（８）  前記装置または器具の前記目的部位への接近限界を規定する機構は、前記装置または器具に当接するストッパである上記（７）に記載の補助具。
【００１９】
【発明の実施の形態】
以下、本発明の補助具を添付図面に示す好適実施例に基づいて詳細に説明する。
【００２０】
図１は、本発明の補助具の第１実施形態を示す斜視図、図２は、本発明の補助具の第２実施形態を示す斜視図、図３は、穿刺器具の構成を示す斜視図、図４は、血糖測定装置の先端部およびそこに装着されるチップの構成を示す断面側面図、図５は、第１実施形態の補助具を用いて穿刺器具により指先を穿刺している状態を示す図、図６は、第１実施形態の補助具を用いて血糖測定装置により血液を吸引しようとしている状態を示す図、図７は、第２実施形態の補助具を用いて穿刺器具により指先を穿刺している状態を示す図、図８は、第２実施形態の補助具を用いて血糖測定装置により血液を吸引しようとしている状態を示す図である。なお、図２〜図８中の上側を「基端」、下側を「先端」として説明する。
【００２１】
まず、本発明の補助具を説明する前に、血糖測定装置（成分測定装置）および穿刺器具について説明する。
【００２２】
図４、図６および図８に示すように、血糖測定装置７は、その先端部にチップ装着部７１を有し、このチップ装着部７１に血糖測定用のチップ８を装着して使用される。
【００２３】
チップ８は、有底筒状のチップ本体８１と、該チップ本体８１の底部から先端方向に突出した突出部８２と、チップ本体８１の底部内側に設置された試験紙８４とで構成されている。突出部８２内には、細い流路８３が形成され、突出部８２の先端から導入された血液は、毛細管現象により流路８３を通って上昇し、試験紙８４の中心部へ供給され、放射状に展開される。
【００２４】
試験紙８４には、試薬が担持されている。この試薬としては、血糖値測定用の場合、グルコースオキシターゼ（ＧＯＤ）と、ペルオキシターゼ（ＰＯＤ）と、例えば４−アミノアンチピリン、Ｎ−エチル−Ｎ−（２−ヒドロキシ−３−スルホプロピル）−ｍ−トルイジンのような発色剤（発色試薬）とが挙げられ、その他、測定成分に応じて、例えばアスコルビン酸オキシダーゼ、アルコールオキシダーゼ、コレステロールオキシダーゼ等の血液成分と反応するものと、前記と同様の発色剤（発色試薬）とが挙げられる。
【００２５】
また、チップ本体８１の基端外周部には、フランジ８５が形成されている。
このようなチップ８は、未使用の状態では、カップ状のチップケース（図示せず）に収納されている。この場合、チップケースの基端開口は、フィルムにより封止されている。
【００２６】
血糖測定装置７のチップ装着部７１の基端側外周部には、チップ装着部７１より大きい外径を有する肩部７５が形成されている。
【００２７】
肩部７５付近の内部には、発光素子（発光ダイオード）と、受光素子（フォトダイオード）とを有する測光部（図示せず）が設けられている。発光素子は、例えば所定の時間間隔でパルス光を発する。
【００２８】
血糖測定装置７の内部には、マイクロコンピュータで構成される制御手段（図示せず）が設置されている。この制御手段には、前記測光部からの信号に基づいてブドウ糖量（測定する成分）を算出する演算部が内蔵されている。
【００２９】
また、血糖測定装置７は、求められた血糖値や、その他の情報を表示する表示部７２を有している。この表示部７２は、液晶表示素子（ＬＣＤ）で構成されている。
【００３０】
また、チップ装着部７１の基端部近傍には、チップ装着部７１に装着されたチップ８を先端方向に押圧して取り外す棒状のピン７３が設置されている。血糖測定装置７の側部に設けられたスライドレバー７４を先端方向にスライドさせると、ピン７３が同方向に突出し、チップ８のフランジ８５付近を押圧し、チップ装着部７１からチップ８を離脱させる。
【００３１】
図３、図５および図７に示すように、穿刺器具９は、器具本体９１と、穿刺針（穿刺針組立体）９４と、キャップ９７とで構成されている。
【００３２】
穿刺針９４は、針ケース内に針体（図示せず）が収納された構造であり、その先端開口９５から前記針体の針先が突出可能となっている。この穿刺針９４の先端部には、先端開口９５を覆うようにキャップ９７が装着される。
【００３３】
穿刺針９４は、その基端部が器具本体９１の先端開口９２に嵌合することにより器具本体９１に装着される。このとき、器具本体９１内に設置されたバネ（図示せず）が圧縮される。
【００３４】
器具本体９１に穿刺針９４が装着され、内部のバネが圧縮された状態で、器具本体９１の基端に設置されたボタン９３を押すと、バネの圧縮が解除され、その付勢力（弾性力）によって、穿刺針９４の先端開口９５から針体の針先が突出する。
【００３５】
穿刺針９４の途中には、フランジ９６が形成されている。穿刺針９４は、このフランジ９６の部分において、最大外径をなしている。
【００３６】
また、キャップ９７の先端には、フランジ９８が形成されている。キャップ９７は、このフランジ９８の部分において、最大外径をなしている。
【００３７】
次に、本発明の補助具１ａ、１ｂについて説明する。補助具１ａ、１ｂは、穿刺器具９および／または血糖測定装置７を使用する際に、それを目的部位へ案内するためのものである。以下、第１実施形態の補助具１ａおよび第２実施形態の補助具１ｂについて、順次説明する。
【００３８】
図１に示すように、補助具１ａは、湾曲板状（板片）の案内部材２と、リング状（環状）の固定部材３とで構成されている。
【００３９】
案内部材２の一方の面には、凹面（湾曲凹面）よりなる案内面２１が形成されている。この案内面２１に、穿刺器具９および血糖測定装置７が当接し、それらが所定位置へ案内される。
【００４０】
案内面２１が凹面であるため、穿刺器具９および血糖測定装置７を案内する際、それらの横方向の位置もある程度規制（位置決め）され、好ましい。
【００４１】
湾曲凹面よりなる案内面２１の曲率は、特に限定されず、例えば、曲率半径が０．５〜２０ｃｍ程度である案内面２１とすることができる。
【００４２】
なお、図示の実施形態では、案内面２１は、略円弧状に湾曲した凹面であるが、これに限らず、例えば、コ字状やＶ字状の凹面であってもよい。
【００４３】
この案内部材２の裏面側（案内面２１と反対側）には、固定部材３の外周部が固着されている。この固定部材３は、内部に測定者の指（特に親指１４）を入れ、補助具１ａを支持、固定するためのものである（図５、図６参照）。
【００４４】
案内部材２と固定部材３との固着方法は、特に限定されず、例えば、融着（熱融着、超音波融着等）、接着剤による接着、嵌合、カシメ、ネジ止め等が挙げられる。また、案内部材２と固定部材３とは、一体的に形成されていてもよい。
【００４５】
図示の構成では、固定部材３は、板片をリング状に成形したものであるが、固定部３を構成する部材は、これに限らず、例えば、メッシュ（網状体）、枠部材、ベルト（バンド）、紐等であってもよい。
【００４６】
また、固定部材３の形状は、図示のようなリング状のものに限らず、指に固定し得るものであれば、いかなるものでもよい。例えばＣ字状のものや、その他、クリップ等でもよい。
【００４７】
このような補助具１ａは、穿刺器具９および血糖測定装置７の双方に対し兼用で用いることができる。これにより、穿刺器具９で指を穿刺してから血糖測定装置７で血液１６を吸引するまでの操作を、同一の補助具１ａを用いて行なうことができ、特に、補助具１ａをそれが固定される指から取り外したり、交換したりすることなく操作を行うことができるので、操作が極めて容易となる。
【００４８】
なお、本発明では、穿刺器具９と血糖測定装置７のそれぞれに対する専用の補助具１ａを用意し、使用することを妨げるものではない。
【００４９】
図２に示すように、補助具１ｂは、平板状（帯状板片）の案内部材４を備えている。
【００５０】
案内部材４の一方の面（上面）には、平面よりなる案内面４１が形成されている。この案内面４１に、穿刺器具９および血糖測定装置７が当接し、それらが所定位置へ案内される。
【００５１】
なお、図示の実施形態では、案内面４１は、平面であるが、湾曲凹面のような湾曲面や、Ｖ字状に折り曲げられた屈曲面であってもよい。
【００５２】
この案内部材４の基端４２および先端４３は、それぞれ、指を当てる指当て部を構成している。図７および図８に示すように、案内部材４の基端４２に親指、案内部材４の先端４３に人差指を当て、これらの指で案内部材４を挟むようにして把持する。
【００５３】
案内部材４の先端側の案内面４１上には、穿刺器具９および血糖測定装置７を案内する際、それらの横方向（案内部材４の幅方向）の位置を規制（位置決め）する位置決め機構として、一対のリブ（凸条）５が設置されている。
【００５４】
両リブ５は、案内面４１上にほぼ対象に配置されている。両リブ５は、それらの間隙距離が先端方向（目的部位側）へ向かって漸減するようにテーパ状（ハの字状）に配置されている。穿刺器具９および血糖測定装置７を案内面４１上で基端側から先端方向に向かって移動させたとき、穿刺器具９および血糖測定装置７がいずれかのリブ５のテーパ面５１に当接しつつ摺動し、その横方向の位置が自動的に修正される。これにより、穿刺器具９および血糖測定装置７の先端部が目的位置（穿刺部位、出血した血液１６）に接近するころには、穿刺器具９および血糖測定装置７の先端部は、案内部材４の幅方向のほぼ中央部に位置決めされていることとなる。
【００５５】
両リブ５の先端部には、それぞれ、爪（ストッパ）６が形成されている。この爪（ストッパ）６は、血糖測定装置７の肩部７５に当接して、血糖測定装置７の目的部位（出血した血液１６）への接近限界を規定する機能を有するものである。
【００５６】
すなわち、血糖測定装置７を案内部材４に沿って先端方向へ移動すると、血糖測定装置７は、案内面４１に案内され、両リブ５により横方向の位置をも修正される。血糖測定装置７をさらに先端方向へ移動すると、その肩部７５が両リブ５の爪６に当接（係合）し、それ以上先端方向へ移動することができなくなる。このとき、血糖測定装置７に装着されたチップ８の突出部８２の先端は、目的部位に到達し、すなわち血液１６と接触する。このように爪６を設けることにより、血糖測定装置７が目的部位に到達した後、必要以上にさらに移動することが防止される。
【００５７】
なお、穿刺器具９に対して、同様な機能を発揮するストッパ（穿刺針９４の先端が指を必要以上に押圧しないような機構）を設けてもよい。
【００５８】
また、このようなストッパは、前述した補助具１ａに対して設けられていてもよい。
【００５９】
リブ５の案内部材４に対する固着方法は、特に限定されず、例えば、融着（熱融着、超音波融着等）、接着剤による接着、ネジ止め等が挙げられる。また、案内部材４とリブ５とは、一体的に形成されていてもよい。
【００６０】
このような補助具１ｂは、穿刺器具９および血糖測定装置７の双方に対し兼用で用いることができる。これにより、穿刺器具９で指を穿刺してから血糖測定装置７で血液１６を吸引するまでの操作を、同一の補助具１ｂを用いて行なうことができ、特に、１つの補助具１ｂを同じ手の親指１４と他の指（人差指）１５とで把持したまま、穿刺器具９による指１５の穿刺と血糖測定装置７による血液１６の吸引とを行なうことができるので、両操作を容易、迅速に行なえる。しかも、補助具１ｂを手から一旦離さないで両操作を行なえるので、穿刺針９４による指１５の穿刺部位とそこから出血した血液１６の、案内部材４に対する相対位置がそれぞれ同じ位置となる。そのため、血液１６の吸引に際し、血液１６に対するチップ８の突出部８２の先端の位置をより正確に定めることができる。
【００６１】
なお、本発明では、穿刺器具９と血糖測定装置７のそれぞれに対する専用の補助具１ｂを用意し、使用することを妨げるものではない。
【００６２】
補助具１ａ、１ｂの構成材料としては、特に限定されず、例えば、アクリル系樹脂、ポリスチレン、ポリエチレン、ポリプロピレン、ポリ塩化ビニル、ポリカーボネート、ポリメチルメタクリレート、ＡＢＳ樹脂、ポリエステル、ポリフェニレンサルファイド（ＰＰＳ）、ポリアミド、ポリイミド、ポリアセタール等の各種樹脂材料や、アルミニウム、ステンレス鋼等の各種金属材料、その他、ガラス材料や各種セラミックス材料が挙げられる。
【００６３】
また、固定部材３については、天然ゴム、イソプレンゴム、ブチルゴム、ブタジエンゴム、ウレタンゴム、シリコーンゴム等の各種ゴム材料、各種熱可塑性エラストマー、ポリウレタン等の弾性材料や、織布、不織布、紙材等を用いることもできる。
【００６４】
また、補助具１ａ、１ｂは、１回の使用で捨てられる、いわゆる使い捨てのものでも、複数回使用されるものでもよい。
【００６５】
次に、補助具１ａの使用方法の一例について説明する。
[１Ａ]  チップケースを開封して未使用のチップ８を取り出し、このチップ８を血糖測定装置７のチップ装着部７１に嵌合・装着する（図４参照）。
【００６６】
[２Ａ]  キャップ９７付きの穿刺針９４を器具本体９１の先端開口９２に嵌合する（図３参照）。このとき、器具本体９１内に設置されたバネ（図示せず）が圧縮される。
【００６７】
[３Ａ]  片方の手（例えば左手）の親指１４を補助具１ａの固定部材３内に挿入し、案内面２１がほぼ上方へ向くように補助具１ａを親指１４に固定する（図５参照）。
【００６８】
[４Ａ]  穿刺針９４からキャップ９７を取り外し、図示しない他方の手（例えば右手）で器具本体９１を把持しつつ、穿刺器具９を補助具１ａの案内面２１に沿って先端方向へ移動させる。すると、穿刺針９４の先端が、片方の手（補助具１ａが装着されている手）の他の指（人差指）１５の表面に接近し、やがて当接する（図５参照）。これにより、穿刺器具９の先端方向への移動が停止する。
【００６９】
血糖測定を必要とする患者、特に、手指が不自由な患者、握力が弱い患者、手が震える患者、視力が衰えた患者等が自分自身で穿刺器具９を把持し、穿刺器具９による穿刺部位（目的部位）の位置決めを行なう場合でも、補助具１ａを用いることにより、その操作を容易、迅速に、しかも正確な位置で行なうことができる。
【００７０】
[５Ａ]  穿刺器具９を把持している手の指でボタン９３を押す。これにより、器具本体９１内に設置されたバネの圧縮が解除され、その付勢力（弾性力）によって、穿刺針９４の先端開口９５から針体の針先が突出し、指１５が穿刺される。この穿刺部位（目的部位）からは、出血する。
【００７１】
[６Ａ]  チップ８が装着されている血糖測定装置７を他方の手で把持しつつ、血糖測定装置７を補助具１ａの案内面２１に沿って先端方向へ移動させる。すると、チップ８の突出部８２の先端が、目的部位、すなわち指１５の穿刺部位から出血した血液(検体)１６に徐々に接近し、やがて接触する(図６参照)。
【００７２】
血糖測定を必要とする患者、特に、手指が不自由な患者、握力が弱い患者、手が震える患者、視力が衰えた患者等が自分自身で血糖測定装置７を把持し、チップ８の突出部８２の先端を血液１６に接触させ、吸引する操作を行なう場合でも、補助具１ａを用いることにより、その操作を容易、迅速に、しかも正確な位置で行なうことができる。
【００７３】
チップ８の突出部８２の先端が血液１６に接触すると、血液１６は、毛細管現象により流路８３内に吸引され、流路８３を基端方向へ向かって流れ、試験紙８４の中心部へ供給され、さらに、試験紙８４上を放射状に展開される。
【００７４】
試験紙８４上への血液１６の供給、展開に伴い、血液中のブドウ糖(目的成分)と試験紙８４に担持された試薬とが反応し、試験紙４はブドウ糖量に応じて呈色する。
【００７５】
[７Ａ]  血糖測定装置７は、試験紙８４の呈色強度を前述した測光部にて光学的に測定し、演算処理することにより、血糖値が求まる。求められた血糖値は、表示部７２に表示される。
【００７６】
[８Ａ]  キャップ９７を使用済みの穿刺針９４に装着し、さらに、この穿刺針９４を器具本体９１から抜き取る。このキャップ９７付きの穿刺針９４は、廃棄される。
【００７７】
[９Ａ]  血糖測定装置７のスライドレバー７４を先端方向にスライドさせる。これにより、ピン７３が先端方向に突出し、チップ８のフランジ８５付近を押圧し、チップ装着部７１から使用済みのチップ８が離脱する。離脱したチップ８は、再びチップケース内に戻され、廃棄される。
【００７８】
[１０Ａ]  片方の手の親指１４から補助具１ａを取り外す。
以上のような[１Ａ]〜[１０Ａ]の一連の操作により、１回の血糖値の測定が終了する。
【００７９】
次に、補助具１ｂの使用方法の一例について説明する。
[１Ｂ]  チップケースを開封して未使用のチップ８を取り出し、このチップ８を血糖測定装置７のチップ装着部７１に嵌合・装着する（図４参照）。
【００８０】
[２Ｂ]  キャップ９７付きの穿刺針９４を器具本体９１の先端開口９２に嵌合する（図３参照）。このとき、器具本体９１内に設置されたバネ（図示せず）が圧縮される。
【００８１】
[３Ｂ]  片方の手（例えば左手）の親指１４と他の指（人差指）１５とで、補助具１ｂの基端４２および先端４３を挟持する（図７参照）。
【００８２】
[４Ｂ]  穿刺針９４からキャップ９７を取り外し、図示しない他方の手（例えば右手）で器具本体９１を把持しつつ、穿刺器具９を補助具１ｂの案内面４１に沿って先端方向へ移動させる。すると、穿刺針９４が一対のリブ５のテーパ面５１に当接しつつ摺動して横方向の位置が修正されつつ、穿刺針９４の先端が片方の手の指（人差指）１５の表面に接近し、やがて当接する（図７参照）。これにより、穿刺器具９の先端方向への移動が停止する。
【００８３】
血糖測定を必要とする患者、特に、手指が不自由な患者、握力が弱い患者、手が震える患者、視力が衰えた患者等が自分自身で穿刺器具９を把持し、穿刺器具９による穿刺部位（目的部位）の位置決めを行なう場合でも、補助具１ｂを用いることにより、その操作を容易、迅速に、しかも正確な位置で行なうことができる。
【００８４】
[５Ｂ]  穿刺器具９を把持している手の指でボタン９３を押す。これにより、器具本体９１内に設置されたバネの圧縮が解除され、その付勢力（弾性力）によって、穿刺針９４の先端開口９５から針体の針先が突出し、指１５が穿刺される。この穿刺部位（目的部位）からは、出血する。
【００８５】
[６Ｂ]  チップ８が装着されている血糖測定装置７を他方の手で把持しつつ、血糖測定装置７を補助具１ｂの案内面４１に沿って先端方向へ移動させる。すると、血糖測定装置７の肩部７５付近が一対のリブ５のテーパ面５１に当接しつつ摺動して横方向の位置が修正されつつ、チップ８の突出部８２の先端が、目的部位、すなわち指１５の穿刺部位から出血した血液(検体)１６に徐々に接近し、やがて接触する(図８参照)。
【００８６】
また、これとほぼ同じに、血糖測定装置７の肩部７５が両リブ５の爪６に当接（係合）し、それ以上先端方向へ移動することができなくなる。これにより、チップ８の突出部８２の先端が血液１６に接触した後、突出部８２の先端が必要以上に指１５に押し付けられることが防止される。
【００８７】
血糖測定を必要とする患者、特に、手指が不自由な患者、握力が弱い患者、手が震える患者、視力が衰えた患者等が自分自身で血糖測定装置７を把持し、チップ８の突出部８２の先端を血液１６に接触させ、吸引する操作を行なう場合でも、補助具１ｂを用いることにより、その操作を容易、迅速に、しかも正確な位置で行なうことができる。
【００８８】
チップ８の突出部８２の先端が血液１６に接触すると、血液１６は、毛細管現象により流路８３内に吸引され、流路８３を基端方向へ向かって流れ、試験紙８４の中心部へ供給され、さらに、試験紙８４上を放射状に展開される。
【００８９】
試験紙８４上への血液１６の供給、展開に伴い、血液中のブドウ糖(目的成分)と試験紙８４に担持された試薬とが反応し、試験紙８４はブドウ糖量に応じて呈色する。
【００９０】
[７Ｂ]  血糖測定装置７は、試験紙８４の呈色強度を前述した測光部にて光学的に測定し、演算処理することにより、血糖値が求まる。求められた血糖値は、表示部７２に表示される。
【００９１】
[８Ｂ]  片方の手の親指１４と指（人差指）１５とを開き、把持している補助具１ｂを離す。
【００９２】
[９Ｂ]  キャップ９７を使用済みの穿刺針９４に装着し、さらに、この穿刺針９４を器具本体９１から抜き取る。このキャップ９７付きの穿刺針９４は、廃棄される。
【００９３】
[１０Ｂ]  血糖測定装置７のスライドレバー７４を先端方向にスライドさせる。これにより、ピン７３が先端方向に突出し、チップ８のフランジ８５付近を押圧し、チップ装着部７１から使用済みのチップ８が離脱する。離脱したチップ８は、再びチップケース内に戻され、廃棄される。
【００９４】
以上のような[１Ｂ]〜[１０Ｂ]の一連の操作により、１回の血糖値の測定が終了する。
【００９５】
以上、本発明の補助具を図示の各実施形態に基づいて説明したが、本発明は、これらに限定されるものではない。
【００９６】
また、本発明において、測定目的とする成分は、ブドウ糖（血糖値）に限らず、例えば、タンパク、コレステロール、尿酸、クレアチニン、アルコール、ナトリウム等の無機イオン、ヘモグロビン（潜血）等であってもよい。
【００９７】
【発明の効果】
以上述べたように、本発明の補助具を用いることにより、例えば穿刺操作や血液の採取操作のような、血液成分等の成分測定やそれに伴う諸操作を容易、迅速に、しかも正確な位置で行なうことができる。
【００９８】
特に、手指が不自由な患者、握力が弱い患者、手が震える患者、視力が弱い患者等でも、上述したような操作を容易、迅速、確実に行なうことができ、患者自身による自己測定の普及に貢献する。
【図面の簡単な説明】
【図１】本発明の補助具の第１実施形態を示す斜視図である。
【図２】本発明の補助具の第２実施形態を示す斜視図である。
【図３】穿刺器具の構成を示す斜視図である。
【図４】血糖測定装置の先端部およびそこに装着されるチップの構成を示す断面側面図である。
【図５】第１実施形態の補助具を用いて穿刺器具により指先を穿刺している状態を示す図である。
【図６】第１実施形態の補助具を用いて血糖測定装置により血液を吸引しようとしている状態を示す図である。
【図７】第２実施形態の補助具を用いて穿刺器具により指先を穿刺している状態を示す図である。
【図８】第２実施形態の補助具を用いて血糖測定装置により血液を吸引しようとしている状態を示す図である。
【符号の説明】
１ａ、１ｂ    補助具
２            案内部材
２１          案内面
３            固定部材
４            案内部材
４１          案内面
４２          基端
４３          先端
５            リブ
５１          テーパ面
６            爪（ストッパ）
７            血糖測定装置
７１          チップ装着部
７２          表示部
７３          ピン
７４          スライドレバー
７５          肩部
８            チップ
８１          チップ本体
８２          突出部
８３          流路
８４          試験紙
８５          フランジ
９            穿刺器具
９１          器具本体
９２          先端開口
９３          ボタン
９４          穿刺針
９５          先端開口
９６          フランジ
９７          キャップ
９８          フランジ
１４          親指
１５          指（人差指）
１６          血液
【図１】
0004378018.tif 000002
【図２】
0004378018.tif 000003
【図３】
0004378018.tif 000004
【図４】
0004378018.tif 000005
【図５】
0004378018.tif 000006
【図６】
0004378018.tif 000007
【図７】
0004378018.tif 000008
【図８】
0004378018.tif 000009